【手続補正書】
【提出日】平成19年3月23日(2007.3.23)
【手続補正１】
【補正対象書類名】特許請求の範囲
【補正対象項目名】全文
【補正方法】変更
【補正の内容】
【特許請求の範囲】
【請求項１】
複数の対向面を備えるハウジングと、第１の面はテスト対象となる集積回路により近接可能であり、第２の面はロードボードに近接することと、１つのスロットが、対向面のうちの第１の面から同対向する面のうちの第２の面までハウジングを通って延びることと、
リードに係合可能な第１の端部と、端子と係合される第２の端部とを備えるとともに前記スロットに収容可能なコンタクトと、同コンタクトは、集積回路のリードに係合されない第１の配向位置と、コンタクトの第１の端部が集積回路のリードに係合され、かつ、スロット内に向けて付勢される第２の配向位置との間で移動可能であることと、
コンタクトを第１の配向位置に付勢するための手段とを備え、
テスト対象となる集積回路のリードをテストサイトのロードボードの対応する端子に電気的に接続するための装置であって、
コンタクトが第１の配向位置と第２の配向位置との間で移動される際に、同コンタクトの第２の端部の前記端子に対する摺動を実質的に消失させる装置。
【請求項２】
前記コンタクトは略Ｓ字形状を有する請求項１に記載の装置。
【請求項３】
前記付勢手段は前記コンタクトの第１の端部とインターフェースする第１のエラストマと、同コンタクトの第２の端部とインターフェースする第２のエラストマとを備える請求項２に記載の装置。
【請求項４】
前記コンタクトの第２の端部は突出部を備え、前記ハウジングは、同コンタクトの第２の端部が端子にて摺動することを実質的に消失させるべく、同突出部によって係合される１つの壁面を形成する請求項３に記載の装置。
【請求項５】
デバイスのリードをテストデバイスに一時的に電気的に接続するための装置において、
（ａ）対向する平面状の平行な第１及び第２の面を備え、第１及び第２の端を有すると共に、第１及び第２の面の間に延びるコンタクト受け入れ用の複数の平行なスロットを備えたハウジングと、そのハウジングは、前記スロットと直交するようにハウジングを貫通して延びるほぼ円筒形の前部孔及び後部孔を備え、前記前部孔は所定距離だけ後部孔よりもハウジングの第１の面に近接し、所定距離だけ後部孔よりもスロットの第１の端に近接していることと、
（ｂ）前記前部孔を満たす大きさに形成された円筒状の前部エラストマ部材、及び、前記後部孔を満たす大きさに形成された円筒状の後部エラストマ部材と、
（ｃ）内側に湾曲する始端及び内側とは反対に湾曲する終端を有し、ほぼＳ字状に形成されたほぼ平面状のコンタクトと、コンタクトは各スロット内に回転可能に係合する形状及び大きさに形成され、前部エラストマ部材が前部孔内に配置され、かつ、後部エラストマ部材が後部孔内に配置され、かつ、コンタクトがスロット内に配置されて前部エラストマ部材及び後部エラストマ部材に係合した時、コンタクトの始端は第１の面を所定距離だけ通過して外側に延びるように付勢され、始端は前部エラストマ部材の最外面にほぼ整合かつそれを部分的に包囲し、前記コンタクトの終端は第２の面に対して外側に延び、その終端は後部エラストマ部材の最外面にほぼ整合かつそれを部分的に包囲し、デバイスの平面がコンタクトの始端と対向してハウジングの第１の面に近接して配置されたとき、コンタクトの始端は第１の面と平行にスロットに入れられて、コンタクトを回転させ、前部及び後部エラストマ部材を圧縮することと、
さらに、平行な側部及びそれに直交する直線状の縁を有するほぼ矩形状のアライナを有し、そのアライナの平行な側部はハウジングの第１の面に隣接し、直交する縁は前記スロットと直交し、アライナはコンタクトの始端と対向するハウジングの第１の面の一部を覆われていない状態にするような位置及び大きさに配置され、前記アライナの縁は下方の角部において傾斜され、アライナの傾斜縁はコンタクトの始端が第１の面の上方において所定距離だけ外側へ延びることを許容するようにした装置。
【請求項６】
請求項５に記載の装置は更に、前記第１の孔を中心とするとともにそれに相互に接続された第１チャネルと、後部孔を中心とするとともにそれに相互に接続された第２チャネルとを有し、両チャネルは対応する孔から外側に向かい、第２の面に対して直交するように延び、両チャネルは対応する孔の直径よりも互いに近接して配置された平行な側部を有し、それによって、エラストマ部材が対応するチャネルを介して対応する孔に強制的に入れられることが可能な装置。
【請求項７】
請求項５に記載の装置において、前記コンタクトの終端は湾曲部分の外部に配置された線状の面を有し、その線状の面は第１及び第２のエラストマ部材が圧縮されていない時にテストデバイスの対応する隣接端子に平行になるようにした装置。
【請求項８】
請求項５に記載の装置において、前部及び後部エラストマ部材は異なる材料からなる装置。
【請求項９】
一時的な電気的接続のための装置において、
（ａ）対向する平面状の平行な第１及び第２の面を備え、第１及び第２の端を有すると共に、第１及び第２の面の間に延びるコンタクト受け入れ用の複数の平行なスロットを備えたハウジングと、そのハウジングはまた、ほぼ円筒状に形成されるとともにハウジングを貫通し、スロットに対して直交するように延びる孔を有し、その孔はハウジングの第１の面から所定距離だけ離間し、かつ、スロットの第１の端から所定距離だけ離間していることと、
（ｂ）前記孔を満たす大きさに形成された円筒状のエラストマ部材と、
（ｃ）内側に湾曲する始端を有し、各スロット内に回転可能に係合する形状及び大きさに形成されたコンタクトと、前記エラストマ部材が孔内に配置され、コンタクトがスロット内に配置されてエラストマ部材に係合した時、コンタクトの始端は第１の面を所定距離だけ通過して外側に延びるように付勢され、始端は前部エラストマ部材の最外面にほぼ整合かつそれを部分的に包囲し、デバイスの平面がコンタクトの始端と対向してハウジングの第１の面に近接して配置されたとき、コンタクトの始端は第１の面と平行にスロットに入れられて、コンタクトを回転させ、エラストマ部材を圧縮することと、
さらに、平行な側部及びそれに直交する直線状の縁を有するほぼ矩形状のアライナを有し、そのアライナの平行な側部はハウジングの第１の面に隣接し、直交する縁は前記スロットと直交し、アライナはコンタクトの始端と対向するハウジングの第１の面の一部を覆われていない状態にするような位置及び大きさに配置され、前記アライナの縁は下方の角部において傾斜され、アライナの傾斜縁はコンタクトの始端が第１の面の上方において所定距離だけ外側へ延びることを許容するようにした装置。
【請求項１０】
請求項９に記載の装置は更に、前記孔を中心とするとともにそれに相互に接続されたチャネルを有し、そのチャネルは孔から外側に向かい、第２の面に対して直交するように延び、チャネルは孔の直径よりも互いに近接して配置された平行な側部を有し、それによって、エラストマ部材がチャネルを介して孔に強制的に入れられることが可能な装置。
【手続補正２】
【補正対象書類名】明細書
【補正対象項目名】発明の名称
【補正方法】変更
【補正の内容】
【発明の名称】テストデバイスに対する集積回路の接続システム
【手続補正３】
【補正対象書類名】明細書
【補正対象項目名】００２１
【補正方法】変更
【補正の内容】
【００２１】
このコンタクタシステムは、ロードボード１２に対する接触変換相対運動（contact translational relative motion）（摺動）を阻止すべく設計されたものである。摺動によって、望ましくない特徴であるロードボードパッドの磨耗が生じる。ハウジング壁面１５と係合状態にあるコンタクト終端２８の斜面状ターミナスは、コンタクト１８がロードボード１２に沿って摺動することを阻止するための一助となる。前部エラストマ３０は、また、ハウジング１０の壁面１５に対して支持された状態に保持される方向にコンタクト１８を付勢することによって、このような目的を達成する補助となる。
【手続補正４】
【補正対象書類名】明細書
【補正対象項目名】００２２
【補正方法】変更
【補正の内容】
【００２２】
従来のコンタクタのコンタクトのようにリード１７に沿って摺動するのではなく、本発明におけるコンタクトの動作は回動である。コンタクト１８が両エラストマを圧縮するのに伴い、リード１７とコンタクト終端２８との接触点は、ロードボード１２において前方に移動（水平に変換）し、下部コンタクトアーク１３に沿って移動する。
【手続補正５】
【補正対象書類名】図面
【補正対象項目名】図１
【補正方法】変更
【補正の内容】
【図１】
2004325451.tif 000001